(57)【特許請求の範囲】
【請求項１】
挿入口を有する支持体と、
この支持体に支持され、上記挿入口を開閉する第１および第２の扉体と、
これら第１および第２の扉体を閉じ方向に付勢するスプリングと、を備えている扉装置において、
上記第１および第２の扉体は、その両端部から同軸状に突出された軸部を上記支持体の軸受部に挿入することで、互いに同一面上に位置されて上記挿入口を閉じる閉じ位置と、この閉じ位置から互いに遠ざかる方向に逆向きに回動されて上記挿入口を開く開き位置とに亘って回動可能に上記支持体に支持されており、
また、上記各扉体の一方の軸部に対応する軸受部は、夫々軸受孔を有する中空筒状のボス部を有し、このボス部の軸受孔内に上記一方の軸部が軸回り方向に回動可能に挿入されているとともに、
上記スプリングは、上記ボス部の外周に装着される第１および第２のコイル部と、
これらコイル部の一端から引き出されて上記第１および第２の扉体に係止され、これら扉体を上記閉じ位置に向けて付勢する一対のアーム部と、上記第１および第２のコイル部の他端間に跨って配置され、これらコイル部を一体的に連結する連結部とを備えていることを特徴とする扉装置。
【請求項２】
請求項１の記載において、上記スプリングは、一本の金属素線を連続して折り曲げることで構成されていることを特徴とする扉装置。
【請求項３】
請求項１の記載において、上記第１および第２のコイル部は、上記第１および第２の扉体の一端側に偏って位置されていることを特徴とする扉装置。
【請求項４】
請求項１の記載において、上記スプリングは、その第１および第２のコイル部の巻き方向が互いに逆向きであることを特徴とする扉装置。
【請求項５】
請求項１の記載において、上記スプリングの連結部は、上記第１および第２の扉体の回動軌跡を外れた位置に設置されていることを特徴とする扉装置。
【発明の詳細な説明】
【０００１】
【発明の属する技術分野】
本発明は、観音開き式の扉装置に係り、特にその第１および第２の扉体を閉じ方向に付勢するスプリングの構造に関する。
【０００２】
【従来の技術】
ポータブルコンピュータのような電子機器は、例えばPCカードを収容するためのカード収容部を装備している。この種のカード収容部は、ポータブルコンピュータの側面に開口されたカードスロットを有し、このカードスロットを通じてPCカードが出し入れされるようになっている。そして、このカードスロットは、カード収容部からPCカードが取り外されている時に、埃や異物の侵入を防ぐシャッタータイプの扉装置によって塞がれている。
【０００３】
図２１ないし図２４は、従来の扉装置１の一例を開示している。この扉装置１は、支持体としてのフレーム２と、扉体としての第１および第２のスロットカバー３，４とを備えている。フレーム２は、上壁５ａ、下壁５ｂおよび左右の側壁５ｃ，５ｄを有している。上下の壁５ａ，５ｂは、互いに平行をなして水平方向に延びている。側壁５ｃ，５ｄは、上下の壁５ａ，５ｂの両端部間に跨って縦方向に延びている。そのため、これら各壁５ａ〜５ｄは、互いに協働して細長い挿入口６を構成しており、この挿入口６を通じてPCカード１６が出し入れされるようになっている。
【０００４】
一方の側壁５ｃの前端縁部には、第１および第２の軸受部７ａ，７ｂが形成されている。これら軸受部７ａ，７ｂは、フレーム２の高さ方向に互いに離間して配置されている。上壁５ａの前端縁部には、第３の軸受部７ｃが形成されている。第３の軸受部７ｃは、側壁５ｃに対し挿入口６の長手方向に離間して配置されており、この挿入口６の開口上縁において第１の軸受部７ａと向かい合っている。下壁５ｂの前端縁部には、第４の軸受部７ｄが形成されている。第４の軸受部７ｄは、第３の軸受部７ｃの下方に位置されており、上記挿入口６の開口下縁において第２の軸受部７ｂと向かい合っている。
【０００５】
図２３に示すように、第１の軸受部７ａおよび第３の軸受部７ｃは、夫々軸受孔８ａ，８ｃを有している。これら軸受孔８ａ，８ｃは、同軸状に向かい合うように配置されている。また、第２の軸受部７ｂおよび第４の軸受部７ｄは、夫々軸受孔８ｂ，８ｄを有している。これら軸受孔８ｂ，８ｄは、同軸状に向かい合うように配置されている。
【０００６】
第１および第２のスロットカバー３，４は、弾性変形が可能な合成樹脂材料にて構成され、上記挿入口６に沿って延びる細長い板状をなしている。第１および第２のスロットカバー３，４は、挿入口６の内側において上下に並べて配置されている。
【０００７】
第１のスロットカバー３は、挿入口６の上半部に位置されており、その上縁部が第１の軸受部７ａと第３の軸受部７ｃとの間に位置されている。第１のスロットカバー３は、その上縁部の両端に第１および第２の軸部１０ａ，１０ｂを有している。軸部１０ａ，１０ｂは、第１のスロットカバー３の両端からその長手方向に沿って同軸状に突出されている。これら軸部１０ａ，１０ｂは、第１および第３の軸受部７ａ，７ｃの軸受孔８ａ，８ｃに回動可能に挿入されている。
【０００８】
第２のスロットカバー４は、挿入口６の下半部に位置されており、その下縁部が第２の軸受部７ｂと第４の軸受部７ｄとの間に位置されている。第２のスロットカバー４は、その下縁部の両端に第１および第２の軸部１１ａ，１１ｂを有している。軸部１１ａ，１１ｂは、第２のスロットカバー４の両端からその長手方向に沿って同軸状に突出されている。これら軸部１１ａ，１１ｂは、第２および第４の軸受部７ｂ，７ｄの軸受孔８ｂ，８ｄに回動可能に挿入されている。
【０００９】
このため、第１および第２のスロットカバー３，４は、第１の軸部１０ａ，１１ａおよび第２の軸部１０ｂ，１１ｂを支点として、上記フレーム２の挿入口６を閉じる閉じ位置と、この挿入口６を開く開き位置とに亘って回動可能にフレーム２に支持されている。
【００１０】
第１および第２のスロットカバー３，４が閉じ位置に回動された状態では、これらカバー３，４が起立されて垂直方向に沿う同一面上に並んで位置され、挿入口６内に張り出している。また、第１および第２のスロットカバー３，４が開き位置に回動された状態では、これらカバー３，４がフレーム２の上壁５ａおよび下壁５ｂに沿うように略水平に倒れ込み、挿入口６から退いている。
【００１１】
第１および第２の軸受部７ａ，７ｂは、ストッパ１２を有している。ストッパ１２は、第１および第２のスロットカバー３，４が開き位置から閉じ位置に向けて回動された際に、これらスロットカバー３，４の前面に突き当たり、スロットカバー３，４の過度の回動を制限するようになっている。
【００１２】
第１および第２のスロットカバー３，４は、夫々共通のねじりコイルスプリング１３を介して閉じ位置に付勢されている。図２５や図２６に示すように、ねじりコイルスプリング１３は、金属素線を密着巻きしてなるコイル部１４と、このコイル部１４の一端から径方向外側に向けて引き出された第１のアーム部１５ａと、上記コイル部１４の他端から接線方向に引き出された第２のアーム部１５ｂとを有している。そして、図２４に示すように、ねじりコイルスプリング１３をコイル部１４の軸方向から見た時に、コイル部１４に対する第１および第２のアーム部１５ａ，１５ｂの引き出し方向はコイル部１４の周方向にずれており、これらアーム部１５ａ，１５ｂ間の捩じれ角θは、ねじりコイルスプリング１３が負荷を受けない自由状態において略１００°以上に設定されている。
【００１３】
この場合、第１のスロットカバー３と第２のスロットカバー４とでは、その開閉時の回動方向が逆向きであるため、ねじりコイルスプリング１３は、そのコイル部１４の巻き方向を逆向きにした姿勢で第１および第２のスロットカバー３，４に取り付けられている。
【００１４】
すなわち、図２１や図２３に示すように、第１のスロットカバー３では、第１の軸部１０ａの外周にねじりコイルスプリング１３のコイル部１４が装着されている。このコイル部１４は、第１のアーム部１５ａが下向きに延びるような向きで第１の軸部１０ａの外周に装着され、この第１のアーム部１５ａが第１のスロットカバー３の裏面に引っ掛かっているとともに、第２のアーム部１５ｂがフレーム２の上壁５ａに引っ掛かっている。
【００１５】
また、第２のスロットカバー４では、第２の軸部１１ｂの外周にねじりコイルスプリング１３のコイル部１４が装着されている。このコイル部１４は、第１のアーム部１５ａが上向きに延びるような向きで第２の軸部１１ｂの外周に装着され、この第１のアーム部１５ａが第２のスロットカバー４の裏面に引っ掛かっているとともに、第２のアーム部１５ｂがフレーム２の下壁５ｂに引っ掛かっている。
【００１６】
ねじりコイルスプリング１３を第１および第２のスロットカバー３，４に取り付けた状態では、第１のアーム部１５ａがコイル部１４を巻き締める方向に押し戻され、第１のアーム部１５ａと第２のアーム部１５ｂとの間の捩じれ角θが小さくなる。そのため、コイル部１４に第１のアーム部１５ａを元の位置に戻そうとする反発力が生じ、この反発力によって第１および第２のスロットカバー３，４がストッパ１２に突き当たるまで回動され、閉じ位置に保持される。
【００１７】
また、第１および第２のスロットカバー３，４が開き位置に回動されると、第１のアーム部１５ａがより大きく押し戻され、捩じれ角θが０に近くなる。そのため、コイル部１４に生じる反発力がより大きくなり、この反発力がスロットカバー３，４を開き位置から閉じ位置に復帰させる際の復元力となる。
【００１８】
図２１や図２４に示すように、PCカード１６がカード収容部から取り出されている状態においては、第１および第２のスロットカバー３，４は、ねじりコイルスプリング１３の反発力によって閉じ位置に保持されている。PCカード１６をカード収容部の上段に挿入するに当って、このPCカード１６の先端を第１のスロットカバー３に押し当てると、図２４に矢印で示すように、第１のスロットカバー３が第１および第２の軸部１０ａ，１０ｂを支点に挿入口６に入り込むように回動し、上記ねじりコイルスプリング１３の反発力に抗して閉じ位置から開き位置に退く。そのため、PCカード１６を挿入口６を通じてカード収容部に押し込むことができ、このPCカード１６によって第１のスロットカバー３が開き位置に保持される。
【００１９】
イジェクト操作によりPCカード１６を挿入口６から引き抜くと、このPCカード１６による第１のスロットカバー３の押圧が解除される。そのため、第１のスロットカバー３は、ねじりコイルスプリング１３の反発力によって自動的に開き位置から閉じ位置に向けて復帰し、このスロットカバー３によって挿入口６が閉じられる。
【００２０】
ところで、第１および第２のスロットカバー３，４は、個々にねじりコイルスプリング１３を装着した状態でフレーム２に組み付けられるようになっている。
【００２１】
この組み付け手順について図２７を加えて説明すると、まず最初に第１のスロットカバー３の第１の軸部１０ａにねじりコイルスプリング１３のコイル部１４を挿入する。そして、コイル部１４が勝手に回転しないようにこのコイル部１４を指先で押さえ、第１のアーム部１５ａが第１のスロットカバー３の裏面と向かい合うように、この第１のアーム部１５ａの向きに注意しながら、第１の軸部１０ａを第１の軸受部７ａの軸受孔８ａに挿入する。この挿入作業は、第１のスロットカバー３をストッパ１２よりもフレーム２の外側に突出させた位置で行い、挿入作業時にフレーム２やストッパ１２が邪魔にならないようにする。
【００２２】
次に、第１のスロットカバー３を側壁５ｃに向けて押圧し、第１の軸部１０ａが軸受孔８ａから外れないように注意しながら、このスロットカバー３を強制的に湾曲させる。これにより、第１の軸部１０ａと第２の軸部１０ｂとの配置間隔を一時的に狭め、第２の軸部１０ｂを第３の軸受部７ｃの軸受孔８ｃに挿入する。
【００２３】
最後に、第１のスロットカバー３を挿入口６に押し込むように回動させてストッパ１２を乗り越せば、ねじりコイルスプリング１３の第１のアーム部１５ａが第１のスロットカバー３の裏面に引っ掛かるとともに、第２のアーム部１５ｂがフレーム２の上壁５ａに引っ掛かる。そのため、ねじりコイルスプリング１３は、巻き締められた状態で第１の軸部１０ａの外周に装着され、このねじりコイルスプリング１３の反発力によって第１のスロットカバー３が閉じ位置に保持される。
【００２４】
このようにして第１のスロットカバー３の組み付けが完了したならば、第２のスロットカバー４の第２の軸部１１ｂ上にねじりコイルスプリング１３のコイル部１４を挿入し、以下上記と同様の手順を繰り返すことで第２のスロットカバー４をフレーム２に取り付ける。そのため、第１および第２のスロットカバー３，４は、同じ作業を二回繰り返すことでフレーム２に回動可能に組み付けられるようになっている。
【００２５】
【発明が解決しようとする課題】
このような従来の扉装置１によると、第１および第２のスロットカバー３，４を閉じ方向に付勢するねじりコイルスプリング１３は、第１のスロットカバー３および第２のスロットカバー４に個々に手作業で組み付けられている。
【００２６】
この際、第１のスロットカバー３と第２のスロットカバー４とでは、その回動方向が逆向きであるが故に、これらスロットカバー３，４に対するねじりコイルスプリング１３の組み付け方向が互いに異なってくる。
【００２７】
そのため、ねじりコイルスプリング１３のコイル部１４を第１のスロットカバー３の第１の軸部１０ａおよび第２のスロットカバー４の第２の軸部１１ｂに装着するに当っては、ねじりコイルスプリング１３の第１および第２のアーム部１５ａ，１５ｂの向きや位置に細心の注意を払いながら作業を続ける必要がある。よって、作業性が悪く、ねじりコイルスプリング１３を含めた第１および第２のスロットカバー３，４の組み付け作業に多大な手間と労力を要するといった問題がある。
【００２８】
しかも、ねじりコイルスプリング１３は、個々に分離されてその形状が極めて小さいために、このねじりコイルスプリング１３のコイル部１４を逆向きの姿勢で第１および第２の軸部１０ａ，１１ｂに装着したとしても、このことに気づかないことが多く、これが原因で作業の中断を強いられることがあり得る。
【００２９】
それとともに、ねじりコイルスプリング１３自体が非常に小さいので、この取り扱いに細かな作業を余儀なくされたり、ピンセットのような工具を併用せざるを得なくなる。このため、ねじりコイルスプリング１３の取り扱いに手間を要し、この点でも作業性の悪化を招く。
【００３０】
また、ねじりコイルスプリング１３は、コイル部１４の両端から引き出された第１および第２のアーム部１５ａ，１５ｂを有するので、特に多数のねじりコイルスプリング１３を一箇所に集めた場合に、これらねじりコイルスプリング１３が複雑に絡み易くなる。このため、ねじりコイルスプリング１３を第１および第２のスロットカバー３，４に組み付けるに先立って、絡み合ったねじりコイルスプリング１３を手作業で個々に分離させるといった厄介な作業が必要となるとともに、この作業中に何かの弾みでねじりコイルスプリング１３が飛び跳ねることがあり、このねじりコイルスプリング１３の紛失や変形の原因となるといった問題もある。
【００３１】
さらに、第１および第２のスロットカバー３，４は、ねじりコイルスプリング１３のコイル部１４を第１および第２の軸部１０ａ，１１ｂに装着した後、このコイル部１４が動かないように指先で押さえながら、第１および第２の軸部１０ａ，１１ｂを軸受孔８ａ，８ｃに挿入しなくてはならない。この際、誤って第１および第２の軸部１０ａ，１１ｂが軸受孔８ａ，８ｃから外れてしまうと、最初から全ての作業をやり直す必要があるとともに、ねじりコイルスプリング１３が第１および第２の軸部１０ａ，１１ｂから脱落して、その弾力によりどこかに飛び去ってしまうことがあり得る。
【００３２】
すなわち、従来では、第１および第２のアーム部１５ａ，１５ｂが正規の位置を向くように小さなねじりコイルスプリング１３を押さえる作業と、このねじりコイルスプリング１３が装着された第１および第２の軸部１０ａ，１１ｂを軸受孔８ａ，８ｃに挿入する作業とを二つ同時に行わなくてはならない。このため、作業に集中力や熟練を必要とし、これが第１および第２のスロットカバー３，４の組み付け時の作業性を悪くする最大の原因となっている。
【００３３】
本発明は、このような事情にもとづいてなされたもので、第１および第２の扉体と共に支持体に組み込まれるスプリングの位置決めを容易に行うことができ、このスプリングを含めた第１および第２の扉体の組み付け時の作業性を改善できる扉装置の提供を目的とする。
【００３４】
【課題を解決するための手段】
上記目的を達成するため、本発明の一つの形態に係る扉装置は、
挿入口を有する支持体と、
この支持体に支持され、上記挿入口を開閉する第１および第２の扉体と、
これら第１および第２の扉体を閉じ方向に付勢するスプリングと、を備えている。
上記第１および第２の扉体は、その両端部から同軸状に突出された軸部を上記支持体の軸受部に挿入することで、互いに同一面上に位置されて上記挿入口を閉じる閉じ位置と、この閉じ位置から互いに遠ざかる方向に逆向きに回動されて上記挿入口を開く開き位置とに亘って回動可能に上記支持体に支持されており、
また、上記各扉体の一方の軸部に対応する軸受部は、夫々軸受孔を有する中空筒状のボス部を有し、このボス部の軸受孔内に上記一方の軸部が軸回り方向に回動可能に挿入されているとともに、
上記スプリングは、上記ボス部の外周に装着される第１および第２のコイル部と、
これらコイル部の一端から引き出されて上記第１および第２の扉体に係止され、これら扉体を上記閉じ位置に向けて付勢する一対のアーム部と、上記第１および第２のコイル部の他端間に跨って配置され、これらコイル部を一体的に連結する連結部とを備えていることを特徴としている。
【００３９】
このような構成によると、スプリングの第１および第２のコイル部は、連結部を介して互いに連結されているとともに、支持体のボス部の外周に装着されているので、このスプリングを支持体に組み付けた時点での第１および第２のコイル部の自由な回動が制限される。
【００４０】
しかも、支持体の軸受部にボス部を形成したことにより、この軸受部に第１および第２の扉体の軸部を挿入する以前に、スプリングを単独で支持体に仮止めすることができ、このスプリングの位置決め作業と軸部の挿入作業とを互いに分離することができる。そのため、第１および第２の扉体の軸部は、単に軸受孔に差し込むだけで良く、従来のようにねじりコイルスプリングを押さえながら軸部を挿入するといった面倒で手間のかかる作業が不要となる。
【００４１】
よって、スプリングの取り扱いに手間を要することもなく、このスプリングの変形や紛失を防止できるとともに、第１および第２の扉体を支持体に組み込む際の作業性を大幅に改善することができる。
【００４２】
また、スプリング自体が第１の扉体と第２の扉体とに跨る共通した一つの構造物となっているので、扉体毎にねじりコイルスプリングを必要としていた従来に比べて部品点数を削減することができる。
【００４３】
【発明の実施の形態】
以下本発明の第１の実施の形態を、ポータブルコンピュータに適用した図１ないし図８にもとづいて説明する。
【００４４】
図１は、ブック形のポータブルコンピュータ２１を開示している。このポータブルコンピュータ２１は、コンピュータ本体２２と、このコンピュータ本体２２に支持されたディスプレイユニット２３とで構成されている。
【００４５】
コンピュータ本体２２は、筐体２４を有している。筐体２４は、底壁２４ａ、上壁２４ｂ、左右の側壁２４ｃおよび前壁２４ｄを有する偏平な箱状をなしており、この筐体２４の上壁２４ｂにキーボード２５が配置されている。
【００４６】
ディスプレイユニット２３は、偏平な箱状のディスプレイハウジング２７と、このディスプレイハウジング２７に収容された液晶表示装置２８とを備えている。ディスプレイハウジング２７は、表示用開口部２９が形成された前面を有し、この表示用開口部２９を通じて液晶表示装置２８の表示画面３０が外方に露出されている。
【００４７】
ディスプレイハウジング２７は、筐体２４の後端部にヒンジ装置（図示せず）を介して回動可能に支持されている。このため、ディスプレイユニット２３は、キーボード２５を上方から覆うように倒される閉じ位置と、キーボード２５の後方において起立する開き位置とに亘って回動し得るようになっている。
【００４８】
図２に示すように、筐体２４の内部には回路基板３２が収容されている。回路基板３２は、筐体２４の底壁２４ａに支持されており、この回路基板３２の上面にカードホルダ３３が設置されている。カードホルダ３３は、PCカード３４を取り外し可能に収容するためのもので、上記筐体２４の内部に位置されている。このカードホルダ３３は、二枚のPCカード３４を上下に積み重ねて収容し得るような大きさを有している。
【００４９】
カードホルダ３３は、ケース３５と、このケース３５の一端に取り付けられたカードコネクタ３６とを備えている。ケース３５は、PCカード３４を出し入れするための開口部３７を有する箱状をなしている。カードコネクタ３６は、PCカード３４が取り外し可能に接続されるもので、上記開口部３７と向かい合っている。
【００５０】
また、ケース３５は、PCカード３４をイジェクトするためのイジェクタ３９を備えている。イジェクタ３９は、マニュアル操作される一対の操作レバー４０ａ，４０ｂを有し、これら操作レバー４０ａ，４０ｂは、開口部３７の側方において上下に並べて配置されている。
【００５１】
図２に示すように、ケース３５の開口部３７は、筐体２４の右側の側壁２４ｃに向けて開口されているとともに、この側壁２４ｃに開けたカードスロット４１と向かい合っている。そして、筐体２４におけるカードスロット４１の開口部分には、カードスロット４１を開閉する扉装置４３が取り付けられている。この扉装置４３は、基本的に上記従来の扉装置１と同様の構成を有するので、この従来の扉装置１と同一の構成部分には同一の参照符号を付して、その説明を省略する。
【００５２】
すなわち、扉装置４３にあっては、第１および第２のスロットカバー３，４を閉じ位置に向けて付勢するスプリング４４に関する事項が従来の扉装置１と相違しており、それ以外のフレーム２、第１および第２のスロットカバー３，４は、従来の扉装置１と同様の構成となっている。
【００５３】
図２に示すように、扉装置４３のフレーム２は、カードスロット４１の内側に入り込むように筐体２４の底壁２４ａにねじ止めされており、その挿入口６がカードスロット４１やカードホルダ３３の開口部３７に連なっている。このため、第１のスロットカバー３は、カードスロット４１の上半分に位置されているとともに、第２のスロットカバー４は、カードスロット４１の下半分に位置されている。また、イジェクタ３９の操作レバー４０ａ，４０ｂは、第１および第２のスロットカバー３，４に隣接した位置において、上記挿入口６からカードスロット４１に導かれ、このカードスロット４１を通じて筐体２４の外方に露出されている。
【００５４】
図３ないし図７に示すように、上記スプリング４４は、第１および第２のスロットカバー３，４の第１の軸部１０ａ，１１ａに跨るように配置されており、これらスロットカバー３，４の長手方向に沿う一方側に偏っている。このスプリング４４は、第１および第２のコイル部４５，４６、一対のアーム部４７ａ，４７ｂおよび連結部４８とを有している。これらコイル部４５，４６、アーム部４７ａ，４７ｂおよび連結部４８は、一本の金属素線を連続して折り曲げることで一体に形成されている。
【００５５】
第１および第２のコイル部４５，４６は、金属素線を密着巻きすることで構成されている。第１のコイル部４５は、第１のスロットカバー３の第１の軸部１０ａの外周に装着されている。第２のコイル部４６は、第２のスロットカバー４の第１の軸部１１ａの外周に装着されている。
【００５６】
一方のアーム部４７ａは、第１のコイル部４５の一端から接線方向に引き出されている。このアーム部４７ａは、図５に示すように、第１のスロットカバー３を閉じ位置に向けて時計回り方向に付勢するため、第１のコイル部４５から下向きに延びており、この第１のスロットカバー３の裏面に接している。
【００５７】
他方のアーム部４７ｂは、第２のコイル部４６の一端から接線方向に引き出されている。このアーム部４７ｂは、図５に示すように、第２のスロットカバー４を閉じ位置に向けて反時計回り方向に付勢するため、第２のコイル部４６から上向きに延びており、この第２のスロットカバー４の裏面に接している。
【００５８】
この場合、アーム部４７ａ，４７ｂは、第１および第２のコイル部４５，４６からの引き出し方向が互いに逆向きとなっているので、図７や図８の（Ａ）に矢印で示すように、一方のアーム部４７ａが連なる第１のコイル部４５と、他方のアーム部４７ｂが連なる第２のコイル部４６とでは、その巻き方向が互いに逆向きとなっている。
【００５９】
このように第１および第２のコイル部４５，４６の巻き方向をアーム部４７ａ，４７ｂの引き出し方向に対応するように互いに逆向きとすれば、これらアーム部４７ａ，４７ｂを含む第１および第２のコイル部４５，４６の形状を上下対称とすることができる。
【００６０】
すなわち、図８の（Ｂ）に示すように、第１のコイル部４５の巻き方向を第２のコイル部４６の巻き方向と同一とした場合、この第１のコイル部４５のアーム部４７ａを上記第２のコイル部４６のアーム部４７ｂの引き出し位置に対応した箇所から第１のスロットカバー３の裏面に向けて引き出すためには、第１のコイル部４５とアーム部４７ａとの境界部分に、アーム部４７ａの引き出し方向を反転させる格別な曲げ部４９を形成しなくてはならない。
【００６１】
このため、アーム部４７ａ，４７ｂを含む第１および第２のコイル部４５，４６の形状を対称とすることができなくなるとともに、曲げ部４９を形成するための余分な曲げ加工を追加する必要がある。よって、その分、コスト高となるとともに、曲げ部４９を含むアーム部４７ｂの寸法精度を厳格に管理しなくてはならず、図８の（Ａ）に示す形状のスプリング４４に比べて量産する上で不利な構成となる。
【００６２】
図５や図７に示すように、スプリング４４の連結部４８は、第１および第２のコイル部４５，４６の他端に連なっている。この連結部４８は、第１および第２のコイル部４５，４６の他端から接線方向に水平に引き出された横アーム部５１，５２と、これら横アーム部５１，５２の先端部間に跨る縦アーム部５３とで構成されている。
【００６３】
横アーム部５１，５２は、各スロットカバー３，４の第１の軸部１０ａ，１１ａの根元に近い位置から挿入口６の内部に向けて水平に延びており、その先端が第１および第２のスロットカバー３，４の回動軌跡Ｌを外れた位置まで導かれている。そして、第１および第２のコイル部４５，４６を軸方向から見た時に、アーム部４７ａ，４７ｂと横アーム部５１，５２とではその引き出し方向がコイル部４５，４６の周方向にずれており、これらアーム部４７ａ，４７ｂと横アーム部５１，５２との間の捩じれ角θは、スプリング４４が負荷を受けない自由状態において略１００°以上に設定されている。
【００６４】
そのため、アーム部４７ａ，４７ｂが第１および第２のスロットカバー３，４に接した状態では、これらアーム部４７ａ，４７ｂが第１および第２のコイル部４５，４６を緩める方向に個々に押し戻され、アーム部４７ａ，４７ｂと横アーム部５１，５２との間の捩じれ角θが小さくなる。そのため、第１および第２のコイル部４５，４６にアーム４７ａ，４７ｂを元の位置に戻そうとする反発力が生じ、この反発力によって第１および第２のスロットカバー３，４がストッパ１２に突き当たるまで回動され、閉じ位置に保持される。
【００６５】
また、第１および第２のスロットカバー３，４が開き位置に回動されると、アーム部４７ａ，４７ｂが第１および第２のコイル部４５，４６を緩める方向により大きく押し戻され、捩じれ角θが０に近くなる。そのため、アーム部４７ａ，４７ｂを元の位置に戻そうとする反発力が大きくなり、この反発力がスロットカバー３，４を開き位置から閉じ位置に復帰させる際の復元力となる。
【００６６】
上記連結部４８の縦アーム部５３は、フレーム２に対し垂直に配置されており、上記横アーム部５１，５２を介して第１および第２のコイル部４５，４６を一体的に連結している。そして、これら横アーム部５１，５２および縦アーム部５３は、フレーム２の一方の側壁５ｃの内面に隣接されている。
【００６７】
このような構成の扉装置４３において、第１および第２のスロットカバー３，４およびスプリング４４は、以下の手順に従ってフレーム２に組み付けられる。
【００６８】
まず最初に、第１のスロットカバー３の第１の軸部１０ａの外周にスプリング４４の第１のコイル部４５を装着する。そして、第１のコイル部４５が第１の軸部１０ａから脱落しないように注意しながら、この第１の軸部１０ａを第１の軸受部７ａの軸受孔８ａに挿入する。この挿入作業は、第１のスロットカバー３をストッパ１２よりもフレーム２の外側に突出させた位置で行い、挿入作業時にフレーム２やストッパ１２が邪魔にならないようにする。
【００６９】
スプリング４４の第１のコイル部４５を第１の軸部１０ａの外周に装着するに際して、第１のコイル部４５は連結部４８を介して第２のコイル部４６と連結されているので、第１の軸部１０ａ上での第１のコイル部４５の自由な回転が制限される。そのため、第１の軸部１０ａを第１のコイル部４５に挿入するだけでアーム部４７ａと第１のスロットカバー３との位置が適正に定まり、第１のコイル部４５を指先で押さえる必要はない。
【００７０】
次に、第１のスロットカバー３を側壁５ｃに向けて押圧し、このスロットカバー３を強制的に湾曲させる。これにより、第１の軸部１０ａと第２の軸部１０ｂとの配置間隔を一時的に狭めて、第２の軸部１０ｂを第３の軸受部７ｃの軸受孔８ｃに挿入し、これら第１および第２の軸部１０ａ，１０ｂを介して第１のスロットカバー３をフレーム２に回動可能に取り付ける。
【００７１】
最後に第１のスロットカバー３を挿入口６に押し込むように回動させてストッパ１２を乗り越せば、この第１のスロットカバー３の裏面がスプリング４４のアーム部４７ａに引っ掛かり、フレーム２への第１のスロットカバー３の取り付けが完了する。
【００７２】
スプリング４４の第２のコイル部４６は、連結部４８を介して第１のコイル部４５と連結され、この第１のコイル部４５との位置関係が一定に保たれている。そのため、フレーム２への第１のスロットカバー３の取り付けが完了すると、第２のコイル部４６が側壁５ｃの第２の軸受部７ｂの近傍に位置される。
【００７３】
このことから、第１のスロットカバー３の取り付けが完了したならば、第２のスロットカバー４の第１の軸部１１ａをスプリング４４の第２のコイル部４６に挿通し、この第２のコイル部４６を伴いながら第２の軸受部７ｂの軸受孔８ｂに挿入する。この第１の軸部１１ａの挿入作業は、第２のスロットカバー４をストッパ１２よりもフレーム２の外側に突出させた位置で行い、挿入作業時にフレーム２やストッパ１２が邪魔にならないようにする。
【００７４】
次に、スプリング４４の連結部４８を指先で側壁５ｃに押し付け、この連結部４８が動かないよう注意しながら、第２のスロットカバー４を側壁５ｃに向けて押圧し、このスロットカバー４を強制的に湾曲させる。これにより、第１の軸部１１ａと第２の軸部１１ｂとの配置間隔を一時的に狭めて、第２の軸部１１ｂを第４の軸受部７ｄの軸受孔８ｄに挿入し、これら第１および第２の軸部１１ａ，１１ｂを介して第２のスロットカバー４をフレーム２に回動可能に取り付ける。
【００７５】
最後に第２のスロットカバー４を挿入口６に押し込むように回動させてストッパ１２を乗り越せば、この第２のスロットカバー４の裏面がスプリング４４のアーム部４７ｂに引っ掛かり、フレーム２への第２のスロットカバー４の取り付けが完了する。
【００７６】
このような本発明の第１の実施の形態によれば、スプリング４４の第１および第２のコイル部４５，４６は、連結部４８を介して互いに連結され、この連結部４８が挿入口６の内側に向けて張り出している。このため、第１のスロットカバー３の第１の軸部１０ａおよび第２のスロットカバー４の第１の軸部１１ａを夫々側壁５ｃの軸受孔８ａ，８ｂに挿入する際に、スプリング４４の連結部４８を側壁５ｃに押え込むことができ、フレーム２に対するスプリング４４の位置決めを容易に行うことができる。
【００７７】
しかも、連結部４８の存在により、第１および第２のコイル部４５，４６の自由な回転が制限されるので、これらコイル部４５，４６を第１の軸部１０ａ，１１ａに装着すると同時に、第１および第２のスロットカバー３，４に対するアーム部４７ａ，４７ｂの位置が適正に定まる。
【００７８】
したがって、スプリング４４が回転しないように注意しながら第１の軸部１０ａ，１１ａの挿入作業を行うといった面倒な作業が不要となり、従来に比べてスプリング４４の取り扱いを容易に行うことができる。よって、スプリング４４の変形や紛失を防止できるのは勿論のこと、このスプリング４４や第１および第２のスロットカバー３，４をフレーム２に組み込む際の作業性を大幅に改善することができる。
【００７９】
また、スプリング４４自体が第１のスロットカバー３と第２のスロットカバー４とに跨る共通した一つの構造物となるので、第１および第２のスロットカバー３，４毎にねじりコイルスプリング１３を必要としていた従来に比べて部品点数を削減することができる。このため、上記作業性が改善されることと合わせて、量産化に無理なく対応することができ、コストの低減が可能となる。
【００８０】
なお、本発明は上記第１の実施の形態に特定されるものではなく、図９および図１０に本発明の第２の実施の形態を示す。
【００８１】
この第２の実施の形態は、スプリング４４をフレーム２に仮止めするための構成が上記第１の実施の形態と相違しており、それ以外の扉装置４３の構成は第１の実施の形態と同様である。そのため、第２の実施の形態において、第１の実施の形態と同一の構成部分には同一の参照符号を付して、その説明を省略する。
【００８２】
図９に示すように、スプリング４４の連結部４８は、一方の側壁５ｃの内面に沿わせて配置されている。この側壁５ｃの内面には、一対の係止爪６０ａ，６０ｂが形成されている。係止爪６０ａ，６０ｂは、上下方向に互いに離間して配置されており、第１および第２の軸受部７ａ，７ｂの直後に位置されている。これら係止爪６０ａ，６０ｂは、側壁５ｃの内面から挿入口６に向けて突出されており、これら係止爪６０ａ，６０ｂの先端には、直角に曲げられた保持部６１ａ，６１ｂが形成されている。
【００８３】
保持部６１ａ，６１ｂは、側壁５ｃの内面と向かい合っており、これら保持部６１ａ，６１ｂと側壁５ｃとの間で連結部４８の横アーム部５１，５２が挟み込まれている。これにより、スプリング４４が側壁５ｃに仮止めされており、この仮止め状態では、スプリング４４の第１および第２のコイル部４５，４６と側壁５ｃの軸受孔８ａ，８ｂとが同軸状に位置合わせされている。
【００８４】
なお、上記係止爪６０ａ，６０ｂは、一般的な射出成形用の分割金型を用いることで容易に成形することができ、それ故、側壁５ｃには型抜き用の通孔６２が形成されている。
【００８５】
このような構成の第２の実施の形態において、第１および第２のスロットカバー３，４をフレーム２に組み付けるには、まず、スプリング４４をフレーム２の挿入口６内に挿入し、このスプリング４４の連結部４８を側壁５ｃの内面に重ね合わせる。そして、この連結部４８の横アーム部５１，５２を側壁５ｃと保持部６１ａ，６１ｂとの間に嵌め込み、第１および第２のコイル部４５，４６が軸受孔８ａ，８ｂに合致するように、スプリング４４を側壁５ｃに仮止めする。
【００８６】
次に、第１のスロットカバー３の第１の軸部１０ａを第１のコイル部４５に挿入するとともに、この第１の軸部１０ａをそのまま第１の軸受部７ａに向けて押し込むことで、第１の軸受部７ａの軸受孔８ａに挿入する。
【００８７】
この後、第１のスロットカバー３を側壁５ｃに向けて押圧し、このスロットカバー３を強制的に湾曲させながら第２の軸部１０ｂを第３の軸受部７ｃの軸受孔８ｃに挿入することにより、これら第１および第２の軸部１０ａ，１０ｂを介して第１のスロットカバー３をフレーム２に回動可能に取り付ける。
【００８８】
最後に第１のスロットカバー３を挿入口６に押し込むように回動させてストッパ１２を乗り越せば、この第１のスロットカバー３の裏面がスプリング４４のアーム部４７ａに引っ掛かり、フレーム２への第１のスロットカバー３の取り付けが完了する。
【００８９】
このようにして第１のスロットカバー３の組み付けが完了したならば、第２のスロットカバー４の第１の軸部１１ａをスプリング４４の第２のコイル部４６を挿入し、以下上記と同様の手順を繰り返すことで第２のスロットカバー４をフレーム２に取り付ける。そのため、第１および第２のスロットカバー３，４は、同じ作業を二回繰り返すことでフレーム２に回動可能に組み付けられるようになっている。
【００９０】
このような本発明の第２の実施の形態によれば、第１および第２のスロットカバー３，４の第１の軸部１０ａ，１１ａを軸受孔８ａ，８ｂに挿入する以前に、スプリング４４をフレーム２の側壁５ｃに仮止めすることができ、このスプリング４４の第１および第２のコイル部４５，４６と軸受孔８ａ，８ｂとを同軸状に位置合わせすることができる。
【００９１】
このため、スプリング４４の位置決め作業と、第１の軸部１０ａ，１１ａの挿入作業とを互いに分離することができ、それ故、第１の軸部１０ａ，１１ａは、単に位置決めされた第１および第２のコイル部４５，４６を伴って軸受孔８ａ，８ｂに差し込むだけで良いことになる。この結果、スプリング４４を押さえながら第１の軸部１０ａ，１１ａの挿入作業を行うといった面倒で手間のかかる作業が不要となり、従来に比べてスプリング４４の取り扱いを容易に行うことができる。
【００９２】
よって、スプリング４４の紛失や変形を防止できるとともに、このスプリング４４や第１および第２のスロットカバー３，４をフレーム２に組み込む際の作業性を大幅に改善することができる。
【００９３】
また、図１１ないし図１４は、本発明の第３の実施の形態を開示している。
【００９４】
この第３の実施の形態は、スプリング４４をフレーム２の側壁５ｃに仮止めするための構成が上記第２の実施の形態と相違しており、それ以外の扉装置４３の基本的な構成は第２の実施の形態と同様である。
【００９５】
図１２や図１４に示すように、スプリング４４の連結部４８は、その横アーム部５１，５２の途中に折り曲げ部７１ａ，７１ｂを有している。折り曲げ部７１ａ，７１ｂは、第１および第２のコイル部４５，４６の軸方向に沿ってアーム部４７ａ，４７ｂから遠ざかる方向に直角に折り曲げられている。そのため、連結部４８の縦アーム部５３は、フレーム２の側壁５ｃの後縁部に沿って上下方向に延びているとともに、この側壁５ｃの外側に位置されている。
【００９６】
図１１や図１３に示すように、フレーム２の側壁５ｃは、第１および第２の軸受部７ａ，７ｂとは反対側の後縁部に、一対の係止壁７２ａ，７２ｂを有している。係止壁７２ａ，７２ｂは、フレーム２の上下方向に互いに離間して配置されている。係止壁７２ａ，７２ｂは、側壁５ｃの後方に向けて張り出しており、これら係止壁７２ａ，７２ｂの外面に連結部４８の縦アーム部５３が接している。
【００９７】
また、側壁５ｃの外面には、フック部７３が形成されている。フック部７３は、係止壁７２ａ，７２ｂの間から側壁５ｃの後方に向けて張り出しており、このフック部７３の内面に連結部４８の縦アーム部５３が接している。
【００９８】
そのため、図１２に見られるように、縦アーム部５３は、係止壁７２ａ，７２ｂとフック部７３との間を通すことにより、これらの間で径方向に挟み込まれている。これにより、スプリング４４が側壁５ｃに仮止めされており、この仮止め状態では、スプリング４４の第１および第２のコイル部４５，４６が側壁５ｃの軸受孔８ａ，８ｂに同軸状に位置合わせされている。
【００９９】
このような構成においても、第１および第２のスロットカバー３，４の第１の軸部１０ａ，１１ａを軸受孔８ａ，８ｂに挿入する以前に、スプリング４４をフレーム２の側壁５ｃに仮止めすることができ、スプリング４４の位置決め作業と、第１の軸部１０ａ，１１ａの挿入作業とを互いに分離することができる。そのため、スプリング４４を押さえながら第１の軸部１０ａ，１１ａの挿入作業を行うといった面倒で手間のかかる作業を省略することができ、スプリング４４や第１および第２のスロットカバー３，４をフレーム２に組み込む際の作業性を大幅に改善することができる。
【０１００】
また、この構成によると、連結部４８の縦アーム部５３は側壁５ｃの外側に位置されるので、この縦アーム部５３を挿入口６から排除することができる。このため、PCカード３４が挿入口６に差し込まれた時に、このPCカード３４と縦アーム部５３とが互いに干渉したり、縦アーム部５３がPCカード３４の挿入を妨げることはない。
【０１０１】
また、図１５は本発明の第４の実施の形態を開示している。
【０１０２】
この第４の実施の形態は、主に扉装置４３のフレーム８１の構成が上記第１の実施の形態と相違しており、それ以外の構成は第１の実施の形態と同様である。
【０１０３】
図１５に示すように、フレーム８１は、上壁８２ａ、下壁８２ｂおよび左右の側壁８２ｃ，８２ｄを有している。上下の壁８２ａ，８２ｂは、互いに平行をなして水平方向に延びている。側壁８２ｃ，８２ｄは、上下の壁８２ａ，８２ｂの両端部間に跨って縦方向に延びているとともに、挿入口６の前方に進むに従い互いに遠ざかる方向に傾斜されている。
【０１０４】
各側壁８２ｃ，８２ｄの挿入口６に臨む縁部には、夫々一対の軸受部８４ａ，８４ｂおよび８５ａ，８５ｂが形成されている。軸受部８４ａと８５ａは、挿入口６の開口上縁において互いに向かい合っているとともに、軸受部８４ｂと８５ｂは、挿入口６の開口下縁において互いに向かい合っている。そして、各軸受部８４ａ，８４ｂ，８５ａ，８５ｂは、夫々軸受孔８６を有し、これら軸受孔８６に第１および第２のスロットカバー３，４の第１および第２の軸部１０ａ，１０ｂ，１１ａ，１１ｂが回動可能に挿入されている。
【０１０５】
図１５に示すように、スプリング４４は、第１および第２のスロットカバー３，４の第２の軸部１０ｂ，１１ｂの間に跨って配置されており、右側の側壁８２ｄに隣接されている。スプリング４４の連結部４８は、横アーム部５１，５２が第１および第２のコイル部４５，４６の軸方向に沿って引き出されている。そして、これら横アーム部５１，５２および縦アーム部５３は、上記傾斜された側壁８２ｄの内面に沿うようにして配置されており、連結部４８そのものが挿入口６の側方に向けて遠ざかる方向に延びている。
【０１０６】
側壁８２ｄの内面には、係止爪８８が形成されている。係止爪８８は、側壁８２ｄの高さ方向に沿う中間部に位置されている。係止爪８８は、側壁８２ｄの内面から突出されており、その先端に略直角に曲げられた保持部８９を有している。保持部８９は、側壁８２ｄの内面と向かい合っており、これら保持部８９と側壁８２ｄとの間で連結部４８の縦アーム部５３が挟み込まれている。これにより、スプリング４４が側壁８２ｄに仮止めされており、この仮止め状態では、スプリング４４の第１および第２のコイル部４５，４６が軸受部８５ａ，８５ｂの軸受孔８６に同軸状に位置合わせされている。
【０１０７】
また、側壁８２ｄの挿入口６に臨む縁部には、ストッパ９３が形成されている。ストッパ９３は、軸受部８５ａ，８５ｂの間において挿入口６内に張り出しており、第１および第２のスロットカバー３，４が閉じ位置に回動された時に、これらスロットカバー３，４の前面に当接してスロットカバー３，４の過度の回動を制限するようになっている。
【０１０８】
このような構成においても、スプリング４４をフレーム８１の側壁８２ｄｃに単独で仮止めすることができる。そのため、スプリング４４の位置決め作業と、第２の軸部１０ｂ，１１ｂの挿入作業とを互いに分離することができ、スプリング４４や第１および第２のスロットカバー３，４をフレーム８１に組み込む際の作業性を大幅に改善することができる。
【０１０９】
また、この構成によれば、フレーム８１の側壁８２ｃ，８２ｄが挿入口６の前方に進むに従い互いに遠ざかる方向に傾斜されているので、スプリング４４の連結部４８を挿入口６の側方に導くことができ、この連結部４８が挿入口６内に突出せずに済む。このため、側壁８２ｃ，８２ｄが傾斜していることと合わせて、筐体２４の内方への扉装置４３の張り出し量を少なく抑えることができ、筐体２４の内部の実装スペースを充分に確保する上で有利な構成となる。
【０１１０】
図１６ないし図１８は、本発明の第５の実施の形態を開示している。
【０１１１】
この第５の実施の形態は、第１および第２のスロットカバー３，４を回動可能に支持する第１および第２の軸受部７ａ，７ｂの構成が上記第１の実施の形態と相違しており、それ以外の扉装置４３の基本的な構成は、第１の実施の形態と同様である。
【０１１２】
図１６に示すように、第１および第２の軸受部７ａ，７ｂは、夫々ボス部９１ａ，９１ｂを一体に有している。ボス部９１ａ，９１ｂは、第１および第２の軸受部７ａ，７ｂから挿入口６に向けて水平に突出されており、これらボス部９１ａ，９１ｂは、夫々軸受孔９２ａ，９２ｂを有する中空円筒状をなしている。
【０１１３】
第１および第２のスロットカバー３，４の第１の軸部１０ａ，１１ａは、ボス部９１ａ，９１ｂの軸受孔９２ａ，９２ｂに回動可能に嵌合されている。第１の軸部１０ａ，１１ａは、ボス部９１ａ，９１ｂによって覆われており、これらボス部９１ａ，９１ｂの外周にスプリング４４の第１および第２のコイル部４５，４６が装着されている。そのため、スプリング４４は、第１および第２のコイル部４５，４６を軸受孔９２ａ，９２ｂに同軸状に位置合わせした状態でフレーム２の側壁５ｃに仮止めされている。
【０１１４】
このような構成において、第１および第２のスロットカバー３，４をフレーム２に組み付けるには、まず、スプリング４４をフレーム２の挿入口６内に挿入する。そして、図１８に示すように、スプリング４４の第１および第２のコイル部４５，４６をボス部９１ａ，９１ｂの外周に装着することで、スプリング４４をを側壁５ｃに仮止めする。
【０１１５】
次に、第１のスロットカバー３の第１の軸部１０ａを第１の軸受部７ａの軸受孔８ａに挿入するとともに、この第１のスロットカバー３を側壁５ｃに向けて押圧し、このスロットカバー３を強制的に湾曲させながら第２の軸部１０ｂを第３の軸受部７ｃの軸受孔８ｃに挿入する。
【０１１６】
最後に第１のスロットカバー３を挿入口６に押し込むように回動させてストッパ１２を乗り越せば、この第１のスロットカバー３の裏面がスプリング４４のアーム部４７ａに引っ掛かり、フレーム２への第１のスロットカバー３の取り付けが完了する。
【０１１７】
第１のスロットカバー３の組み付けが完了したならば、第２のスロットカバー４の第１の軸部１１ａをボス部９１ｂの軸受孔９２ｂに挿入し、以下上記と同様の手順を繰り返すことで第２のスロットカバー４をフレーム２に取り付ける。そのため、第１および第２のスロットカバー３，４は、同じ作業を二回繰り返すことでフレーム２に回動可能に組み付けられるようになっている。
【０１１８】
このような構成によれば、側壁５ｃの第１および第２の軸受部７ａ，７ｂに中空円筒状のボス部９１ａ，９１ｂを形成したので、これらボス部９１ａ，９１ｂの外周に第１および第２のコイル部４５，４６を装着することで、これらコイル部４５，４６と軸受孔９２ａ，９２ｂとの同軸度を確保しつつ、スプリング４４を側壁５ｃに仮止めすることができる。それとともに、第１および第２のコイル部４５，４６は、連結部４８を介して連結されているので、ボス部９１ａ，９１ｂ上での第１および第２のコイル部４５，４６の自由な回転が制限され、アーム部４７ａ，４７ｂの向きを適正に定めることができる。
【０１１９】
このため、スプリング４４の位置決め作業と、軸受孔９２ａ，９２ｂへの第１の軸部１０ａ，１１ａの挿入作業とを互いに分離することができ、それ故、第１の軸部１０ａ，１１ａは、単にボス部９１ａ，９１ｂの軸受孔９２ａ，９２ｂに挿入するだけで良いことになる。
【０１２０】
よって、スプリング４４を押さえながら第１および第２の軸部１０ａ，１１ｂの挿入作業を行うといった面倒で手間のかかる作業が不要となり、従来に比べてスプリング４４の取り扱いを容易に行うことができる。したがって、スプリング４４の紛失や変形を防止できるとともに、このスプリング４４や第１および第２のスロットカバー３，４をフレーム２に組み込む際の作業性を大幅に改善することができる。
【０１２１】
さらに、図１９および図２０は、本発明の第６の実施の形態を開示している。
【０１２２】
この第６の実施の形態は、PCカード３４が取り外し可能に接続されるカード接続装置１００を開示している。図２０に示すように、カード接続装置１００は、PCカード３４を収容する合成樹脂製のケース１０１を有し、このケース１０１の一端にカードコネクタ１０２が支持されている。ケース１０１は、互いに向かい合う一対のガイド壁１０３ａ，１０３ｂを有している。ガイド壁１０３ａ，１０３ｂは、PCカード３４をカードコネクタ１０２に導くためのもので、互いに向かい合うように平行に配置されている。そして、これらガイド壁１０３ａ，１０３ｂの先端の間にPCカード３４が差し込まれる挿入口１０４が形成されており、この挿入口１０４はカードコネクタ１０２と向かい合っている。
【０１２３】
ケース１０１は、PCカード３４をイジェクトするためのイジェクタ１０５を装備している。イジェクタ１０５は、マニュアル操作される一対の操作レバー１０６ａ，１０６ｂを有し、これら操作レバー１０６ａ，１０６ｂは、ガイド壁１０３ｂに支持されている。
【０１２４】
図２０に示すように、ケース１０１には、支持体としてのフレーム１０７が取り付けられている。フレーム１０７は、一対の支持ステー１０８ａ，１０８ｂを有している。支持ステー１０８ａ，１０８ｂは、ガイド壁１０３ａ，１０３ｂに沿ってカードコネクタ１０２とは反対側に向けて延びている。支持ステー１０８ａ，１０８ｂの先端部は、ガイド壁１０３ａ，１０３ｂの先端から突出されて互いに向かい合っており、これら支持ステー１０８ａ，１０８ｂの先端部に扉体としての第１および第２のスロットカバー１１０ａ，１１０ｂが支持されている。第１および第２のスロットカバー１１０ａ，１１０ｂは、上記挿入口１０４の直前において上下に並べて配置されている。
【０１２５】
上側に位置された第１のスロットカバー１１０ａは、その上縁部の両端に一対の軸部１１１（一方のみを図示）を有している。これら軸部１１１は、第１のスロットカバー１１０ａの長手方向に同軸状に突出されており、その先端が支持ステー１０８ａ，１０８ｂの先端部に回動可能に支持されている。下側に位置された第２のスロットカバー１１０ｂは、その下縁部の両端に一対の軸部１１２（一方のみを図示）を有している。これら軸部１１２は、第２のスロットカバー１１０ｂの長手方向に同軸状に突出されており、その先端が支持ステー１０８ａ，１０８ｂの先端部に回動可能に支持されている。
【０１２６】
また、図１９や図２０に示すように、一方の支持ステー１０８ａは、円弧状に湾曲されたガイド溝１１３ａ，１１３ｂを有している。ガイド溝１１３ａ，１１３ｂは、上下に並べて配置されているとともに、互いに逆向きに湾曲されている。ガイド溝１１３ａ，１１３ｂは、第１および第２のスロットカバー１１０ａ，１１０ｂの一端面と向かい合っており、これらガイド溝１１３ａ，１１３ｂに第１および第２のスロットカバー１１０ａ，１１０ｂの一端面から延びるガイド軸１１４ａ，１１４ｂが摺動可能に嵌合されている。
【０１２７】
そのため、、ガイド溝１１３ａ，１１３ｂは、第１および第２のスロットカバー１１０ａ，１１０ｂの回動範囲を規定しており、これにより上記第１および第２のスロットカバー１１０ａ，１１０ｂは、挿入口１０４を閉じる閉じ位置と、この挿入口１０４を開く開き位置とに亘って回動可能に支持ステー１０８ａ，１０８ｂに支持されている。
【０１２８】
第１および第２のスロットカバー１１０ａ，１１０ｂが閉じ位置に回動された状態では、これらカバー１１０ａ，１１０ｂが起立されて垂直方向に沿う同一面上に並んで位置され、上記挿入口１０４と向かい合っている。また、第１および第２のスロットカバー１１０ａ，１１０ｂが開き位置に回動された状態では、これらカバー１１０ａ，１１０ｂが上記ガイド溝１１３ａ，１１３ｂに沿うように逆向きに回動されて水平に倒れ込み、上記挿入口１０４の直前から退いている。
【０１２９】
図１９に示すように、第１および第２のスロットカバー１１０ａ，１１０ｂは、上記第１の実施の形態と同様のスプリング４４を介して閉じ位置に付勢されている。スプリング４４は、第１および第２のスロットカバー１１０ａ，１１０ｂの一方の軸部１１１，１１２に跨るように配置され、これらスロットカバー１１０ａ，１１０ｂの長手方向に沿う一方側に偏っている。
【０１３０】
スプリング４４の第１のコイル部４５は、第１のスロットカバー１１０ａの一方の軸部１１１の外周に装着されている。このコイル部４５の一端から接線方向に引き出されたアーム部４７ａは、図１９に矢印で示すように、第１のスロットカバー１１０ａを閉じ位置に向けて時計回り方向に付勢するため、第１のコイル部４５から下向きに延びているとともに、この第１のスロットカバー１１０ａの一端のガイド軸１１４ａに引っ掛かっている。
【０１３１】
スプリング４４の第２のコイル部４６は、第２のスロットカバー１１０ｂの一方の軸部１１２の外周に装着されている。このコイル部４６の一端から接線方向に引き出されたアーム部４７ｂは、図１９に矢印で示すように、第１のスロットカバー１１０ｂを閉じ位置に向けて反時計回り方向に付勢するため、第２のコイル部４６から上向きに延びているとともに、この第２のスロットカバー１１０ｂの一端面のガイド軸１１４ｂに引っ掛かっている。
【０１３２】
スプリング４４の連結部４８は、支持ステー１０８ａの内面に沿って挿入口１０４の方向に延びている。連結部４８の縦アーム部５３は、挿入口１０４の直前において縦置きの姿勢で配置されており、この縦アーム部５３の両端と横アーム部５１，５２とで規定される角部１１５が支持ステー１０８ａの上下の縁部から延びるフランジ部１１６ａ，１１６ｂに引っ掛かっている。
【０１３３】
このような構成のカード接続装置１００によると、スプリング４４の第１および第２のコイル部４５，４６は、連結部４８を介して互いに連結されているので、第１のスロットカバー１１０ａの軸部１１１および第２のスロットカバー１１０ｂの軸部１１２を支持ステー１０８ａに連結する際に、上記連結部４８を支持ステー１０８ａに押え込むことができ、このスプリング４４をフレーム１０７に容易に位置決めすることができる。
【０１３４】
しかも、第１および第２のコイル部４５，４６を連結部４８によって連結したことにより、これらコイル部４５，４６の自由な回転が制限されるので、これらコイル部４５，４６に軸部１１１，１１２を挿入すると同時に、第１および第２のスロットカバー１１０ａ，１１０ｂに対するアーム部４７ａ，４７ｂの位置が適正に定まる。
【０１３５】
したがって、スプリング４４が回転しないように注意しながら軸部１１１，１１２の挿入作業を行うといった面倒な作業が不要となり、スプリング４４の取り扱いを容易に行うことができる。よって、スプリング４４の変形や紛失を防止できるのは勿論のこと、このスプリング４４や第１および第２のスロットカバー１１０ａ，１１０ｂを支持ステー１０８ａに組み込む際の作業性を大幅に改善することができる。
【０１３６】
なお、本発明に係る扉装置は、PCカードを挿入するためのカードスロットを開閉するものに限らず、例えばCD-RM駆動装置やフロッピーディスク駆動装置を挿入するための開口部あるいはコネクタを露出させる開口部を開閉するものにも同様に実施可能である。
【０１３７】
【発明の効果】
以上詳述した本発明によれば、スプリングの取り扱いを容易に行えるので、このスプリングの変形や紛失を防止できるとともに、スプリングや第１および第２の扉体を支持体に組み込む際の作業性を大幅に改善することができる。また、スプリング自体が第１の扉体と第２の扉体とに跨る共通した一つの構造物となっているので、扉体毎にねじりコイルスプリングを必要としていた従来に比べて部品点数を削減することができ、上記作業性が良好となることと合わせて、コストの低減に寄与するといった利点がある。
【図面の簡単な説明】
【図１】本発明の第１の実施の形態に係るポータブルコンピュータの斜視図。
【図２】筐体のカードスロット、扉装置およびカードホルダとの位置関係を示すポータブルコンピュータの斜視図。
【図３】扉装置の全体の斜視図。
【図４】スプリングの取り付け状態を示す扉装置の斜視図。
【図５】フレームにスプリングと第１および第２のスロットカバーとを組み込んだ状態を示す扉装置の断面図。
【図６】フレームにスプリングと第１および第２のスロットカバーとを組み込んだ状態を示す扉装置の断面図。
【図７】スプリングの斜視図。
【図８】（Ａ）は、第１および第２のコイル部の巻き方向を逆向きとしたスプリングの側面図。
（Ｂ）は、第１および第２のコイル部の巻き方向を同一としたスプリングの側面図。
【図９】本発明の第２の実施の形態において、フレームにスプリングと第１および第２のスロットカバーとを組み込んだ状態を示す扉装置の断面図。
【図１０】図９の１０Ｆ−１０Ｆ線に沿う断面図。
【図１１】本発明の第３の実施の形態において、フレームにスプリングと第１および第２のスロットカバーとを組み込んだ状態を示す扉装置の断面図。
【図１２】図１１の１２Ｆ−１２Ｆ線に沿う断面図。
【図１３】扉装置の側面図。
【図１４】スプリングの斜視図。
【図１５】（Ａ）は、本発明の第４の実施の形態に係る扉装置の正面図。
（Ｂ）は、図１５の（Ａ）の１５Ｆ−１５Ｆ線に沿う断面図。
【図１６】本発明の第５の実施の形態において、フレームにスプリングと第１および第２のスロットカバーとを組み込んだ状態を示す扉装置の断面図。
【図１７】図１６の１６Ｆ−１６Ｆ線に沿う断面図。
【図１８】スプリングを軸受部のボス部に組み込んだ状態を示す扉装置の断面図。
【図１９】本発明の第６の実施の形態において、フレームにスプリングと第１および第２のスロットカバーとを組み込んだ状態を示すカード接続装置の斜視図。
【図２０】カード接続装置の全体形状を示す斜視図。
【図２１】従来の扉装置の斜視図。
【図２２】フレームにねじりコイルスプリングと第１および第２のスロットカバーとを組み込んだ状態を示す扉装置の正面図。
【図２３】フレームにねじりコイルスプリングと第１および第２のスロットカバーとを組み込んだ状態を示す扉装置の断面図。
【図２４】図２３の２４Ｆ−２４Ｆ線に沿う断面図。
【図２５】ねじりコイルスプリングの取り付け状態を示す扉装置の斜視図。
【図２６】ねじりコイルスプリングの斜視図。
【図２７】第１のスロットカバーをフレームに組み込む状態を示す扉装置の断面図。
【符号の説明】
２…支持体（フレーム）、３…第１の扉体（第１のスロットカバー）、４…第２の扉体（第２のスロットカバー）、６…挿入口、７ａ〜７ｄ…軸受部（第１ないし第４の軸受部）、１０ａ，１０ｂ，１１ａ，１１ｂ…軸部（第１および第２の軸部）、４３…扉装置、４４…スプリング、４５…第１のコイル部、４６…第２のコイル部、４７ａ，４７ｂ…アーム部、４８…連結部、９１ａ，９１ｂ…ボス部、９２ａ，９２ｂ…軸受孔。
【図１】
0004005747.tif 000002
【図２】
0004005747.tif 000003
【図３】
0004005747.tif 000004
【図４】
0004005747.tif 000005
【図５】
0004005747.tif 000006
【図６】
0004005747.tif 000007
【図７】
0004005747.tif 000008
【図８】
0004005747.tif 000009
【図９】
0004005747.tif 000010
【図１０】
0004005747.tif 000011
【図１１】
0004005747.tif 000012
【図１２】
0004005747.tif 000013
【図１３】
0004005747.tif 000014
【図１４】
0004005747.tif 000015
【図１５】
0004005747.tif 000016
【図１６】
0004005747.tif 000017
【図１７】
0004005747.tif 000018
【図１８】
0004005747.tif 000019
【図１９】
0004005747.tif 000020
【図２０】
0004005747.tif 000021
【図２１】
0004005747.tif 000022
【図２２】
0004005747.tif 000023
【図２３】
0004005747.tif 000024
【図２４】
0004005747.tif 000025
【図２５】
0004005747.tif 000026
【図２６】
0004005747.tif 000027
【図２７】
0004005747.tif 000028